(57)【要約】【課題】  本発明は安価に製造することができ、かつ取付けが容易で、スライド移動体をスムーズにスライド移動させることができるレールやバー部材の滑り部材を得るにある。【解決手段】  レール内やバー部材の底面に取付けられる平板バー状のベース板と、このベース板の上面の長さ方向に所定間隔で上方へ突出し、ほぼ中央部が開口する、ほぼＣ字状の軸孔が形成された多数個の軸受と、この多数個の軸受に該軸受の上面より一部が突出するように回転可能に取付けられた丸棒状のローラーと、前記多数個の軸受間のベース板に形成された固定用のビス挿入孔とからなることを特徴とするレールやバー部材の滑り部材とでレールやバー部材の滑り部材を構成している。【選択図】  図２
2011074608.tif 000002
【特許請求の範囲】
【請求項１】
レール内やバー部材の底面に取付けられる平板バー状のベース板と、このベース板の上面の長さ方向に所定間隔で上方へ突出し、ほぼ中央部が開口する、ほぼＣ字状の軸孔が形成された多数個の軸受と、この多数個の軸受に該軸受の上面より一部が突出するように回転可能に取付けられた丸棒状のローラーと、前記多数個の軸受間のベース板に形成された固定用のビス挿入孔とからなることを特徴とするレールやバー部材の滑り部材。
【発明の詳細な説明】
【技術分野】
【０００１】
本発明はスライド移動させる壁面用目地カバーやスライド手摺、スライド移動させるバー部材等を容易にスライド移動させるレールやバー部材の滑り部材に関する。
【背景技術】
【０００２】
従来、この種のレールやバー部材の滑り部材はレールの底面に複数個のキャスターを取付けたり、ローラーコンベアー状のローラーを取付けている。
【０００３】
このため、取付けに手数がかかったり、コスト高になるという欠点があった。
【先行技術文献】
【特許文献】
【０００４】
【特許文献１】特開２００７−１３２１５７
【発明の概要】
【発明が解決しようとする課題】
【０００５】
本発明は以上のような従来の欠点に鑑み、安価に製造することができ、かつ取付けが容易で、スライド移動体をスムーズにスライド移動させることができるレールやバー部材の滑り部材を提供することを目的としている。
【０００６】
本発明の前記ならびにそのほかの目的と新規な特徴は次の説明を添付図面と照らし合わせて読むと、より完全に明らかになるであろう。
【０００７】
ただし、図面はもっぱら解説のためのものであって、本発明の技術的範囲を限定するものではない。
【課題を解決するための手段】
【０００８】
上記目的を達成するために、本発明はレール内やバー部材の底面に取付けられる平板バー状のベース板と、このベース板の上面の長さ方向に所定間隔で上方へ突出し、ほぼ中央部が開口する、ほぼＣ字状の軸孔が形成された多数個の軸受と、この多数個の軸受に該軸受の上面より一部が突出するように回転可能に取付けられた丸棒状のローラーと、前記多数個の軸受間のベース板に形成された固定用のビス挿入孔とからなることを特徴とするレールやバー部材の滑り部材とでレールやバー部材の滑り部材を構成している。
【発明の効果】
【０００９】
以上の説明から明らかなように、本発明にあっては次に列挙する効果が得られる。
（１）とで構成されているので、２種類の部品でよく、構造が簡単で安価に製造することができる。
（２）前記（１）によって、ビス挿入孔に挿入したビスによってレール内やバー部材の底面に固定して使用することができる。
よって、楽にレール内やバー部材に取付けて使用することができる。
（３）前記（１）により、多数個のローラー上にスライド移動させる壁面用目地プレートやスライド移動可能な手摺を支持させることにより、スムーズにスライド移動させることができる。
【図面の簡単な説明】
【００１０】
【図１】本発明を実施するための第１の形態の平面図。
【図２】本発明を実施するための第1の形態の正面図。
【図３】本発明を実施するための第1の形態の側面図。
【図４】本発明を実施するための第1の形態の底面図。
【図５】レールの内底面に固定した使用状態の説明図。
【図６】スライド移動体を取付けた状態の説明図。
【図７】レールの内底面や両側壁に固定した状態の説明図。
【図８】スライド移動体を取付けた状態の説明図。
【図９】支持バーに取付けた状態の平面図。
【図１０】図9の１０−１０線に沿う断面図。
【発明を実施するための形態】
【００１１】
以下、図面に示す本発明を実施するための形態により、本発明を詳細に説明する。
【００１２】
図１ないし図１０に示す本発明を実施するための第１の形態において、１はスライド移動可能な壁面用目地プレートやスライド移動可能な手摺の下端部を支持するレール２に取付けられた本発明のレールやバー部材の滑り部材で、このレールやバー部材の滑り部材1は前記レール２の内底面に取付けられる金属材製の平板バー状のベース板３と、このベース板３の上面の長さ方向に所定間隔で上方へ突出し、ほぼ中央部が開口４する、ほぼＣ字状の軸孔５が形成された多数個の軸受６と、この多数個の軸受６に該軸受６の上面より一部が突出するように回転可能に取付けられた金属材製の丸棒状のローラー７と、前記多数個の軸受６、６間のベース板３に形成された前記レール２にタッピングビス８で固定するためのビス挿入孔９とで構成されている。
【００１３】
上記構成のレールやバー部材の滑り部材１はベース板３をレール２内に位置させ、図５に示すようにタッピングビス８をビス挿入孔９へ挿入させて、レール２の底面へ螺合させて固定する。この時、タッピングビス８の頭部は軸受６、６間の上部より下部に位置するため、じゃまになることはない。
【００１４】
この状態で、図６に示すようにスライド移動可能な壁面用目地カバー等のスライド移動体１０の下部を多数個のローラー７上に位置させることにより、スムーズにスライド移動させることができる。
【００１５】
また、図７および図８に示すように、レール２の内底面にレールやバー部材の滑り材１を複数本のタッピングビス８で固定するとともに、両側壁２ａ、２ａに内底面のローラー７、７の中間部に、ローラー７、７が位置するようにレールやバー部材の滑り部材１、１を複数本のタッピングビス８で固定した点で、このようにレール２の内壁面にそれぞれレールやバー部材の滑り材１、１、１を固定して壁面用目地カバー等のスライド移動体１０の下部を支持させることにより、スライド移動体１０の底面および両側面をスライド移動可能に支持でき、よりスムーズにスライド移動させることができる。
【００１６】
さらに、図９および図１０に示すように、天井目地カバー１１を吊り下げ部材１２、１２を介して左右の天井固定部材１３、１３に左右方向にスライド移動可能に支持する支持バー部材１４、１４の左右の天井固定部材１３、１３と当接する部分にレールやバー部材の滑り材１、１、１、１を固定して使用することにより、よりスムーズに支持バー部材１４、１４を左右方向にスライド移動させることができる。
【００１７】
なお、レールやバー部材にレールやバー部材の滑り部材１、１の固定にはタッピングビス８以外のボルト、ナットを用いてもよい。    
【産業上の利用可能性】
【００１８】
本発明はレールに支持されるスライド移動体や、スライド移動するバー部材をスムーズにスライド移動させるレールやバー部材の滑り部材を製造する産業で利用される。
【符号の説明】
【００１９】
１：レールやバー部材の滑り部材、
２：レール、              ３：ベース板、
４：開口、                ５：軸孔、  
６：軸受、                ７：ローラー、
８：タッピングビス、      ９：ビス挿入孔、
１０：スライド移動体、  １１：天井目地カバー、
１２：吊り下げ部材、    １３：天井固定部材、
１４：支持バー部材。
【図１】
2011074608.tif 000003
【図２】
2011074608.tif 000004
【図３】
2011074608.tif 000005
【図４】
2011074608.tif 000006
【図５】
2011074608.tif 000007
【図６】
2011074608.tif 000008
【図７】
2011074608.tif 000009
【図８】
2011074608.tif 000010
【図９】
2011074608.tif 000011
【図１０】
2011074608.tif 000012